(57)【要約】      （修正有）【課題】ダウンスイングからインパクトゾーン、そしてフォローゾーンへの振りによる円軌道を目標に向かわせる練習を正確に行えるようになることを練習補助するゴルフクラブ練習補助具を提供する。【解決手段】ゴルフクラブ練習補助具１が、ゴルフシャフトの一部であって握り部の近辺シャフト部分をシャフト方向に収納する長手溝３を備えた取り付け板部２と、長手溝の反対側の取り付け板底部に固定され、長手溝の方向に対して２４度近辺の鋭角をなし、取り付け板部がゴルフクラブに取り付けられた時に、ゴルフクラブ先端方向に末広がりに広がる形状とされた三角形状板５と、を有して構成される。【選択図】図１
0003184738.tif 000002
【実用新案登録請求の範囲】
【請求項１】
ゴルフクラブ下方垂直方向に延在して配置可能とされ、ゴルフシャフトの一部であって握り部の近辺シャフト部分をシャフト方向に収納する長手溝を備えた取り付け板部と、該長手溝の反対側の取り付け板底部に固定され、長手溝の方向に対して２４度近辺の鋭角をなし、取り付け板部がゴルフクラブに取り付けられた時に、ゴルフクラブ先端方向に末広がりに広がる形状とされた三角形状板と、ゴルフシャフトを長手溝に収納した時に、取付け板部に設けられた、ゴルフシャフトに取り付け部を固定する固定部材とから構成されたことを特徴とするゴルフクラブ練習補助具。
【考案の詳細な説明】
【技術分野】
【０００１】
本考案は、ゴルフクラブ練習補助具に関する。
【背景技術】
【０００２】
ゴルフ練習に当たってはゴルフクラブを何度もスイングすることがなされる。この時に、ゴルフクラブをダウンスイングからインパクトゾーン、そしてフォローゾーンへと振っていくことになる。このダウンスイングからインパクトゾーン、そしてフォローゾーンへの振りを目標に向かって正確に行えるようになることが大切であるといわれている。
【０００３】
特許文献１には、リストコックのタイミング及びリリースのタイミングを練習できるゴルフスイング練習用具が記載されている。
【先行技術文献】
【特許文献】
【０００４】
【特許文献１】特開２００７−２９６２６１号公報
【考案の概要】
【考案が解決しようとする課題】
【０００５】
特許文献１に記載されたゴルフスイング練習用具は、タイミングを練習するものであり、スイングの円軌道を練習するものではない。
【０００６】
本考案は、ダウンスイングからインパクトゾーン、そしてフォローゾーンへの振りによる円軌道を目標に向かわせる練習を正確に行えるようにするゴルフクラブ練習補助具を提供することを目的とする。
【課題を解決するための手段】
【０００７】
本考案は、上述した課題を解決するために、ゴルフクラブ下方垂直方向に延在して配置可能とされ、ゴルフシャフトの一部であって握り部の近辺シャフト部分をシャフト方向に収納する長手溝を備えた取り付け板部と、該長手溝の反対側の取り付け板底部に固定され、長手溝の方向に対して24度近辺の鋭角をなし、取り付け板部がゴルフクラブに取り付けられた時に、ゴルフクラブ先端方向に末広がりに広がる形状とされた三角形状板と、ゴルフシャフトを長手溝に収納した時に、取付け板部に設けられた、ゴルフシャフトに取り付け部を固定する固定部材とから構成されたことを特徴とするゴルフクラブ練習補助具を提供する。
【考案の効果】
【０００８】
本考案は、上述したように構成されているので、この構成になるゴルフクラブ練習補助具を使用したゴルフ練習で、ダウンスイングからインパクトゾーン、そしてフォローゾーンへの振りによる円軌道をこぼれ日面積の観察にとって実行することが出来、円軌道練習を目標に向かって正確に行えるようになる。
【図面の簡単な説明】
【０００９】
【図１】本考案実施例の構造を示す平面図。
【図２】本考案実施例の構造を示す側面図。
【図３】ゴルフクラブ練習補助具をゴルフクラブにセットした状態を示す図。
【図４】こぼれ日によって形成されたこぼれ日面積を示す図。
【考案を実施するための形態】
【００１０】
以下、本考案の実施例を図面に基づいて説明する。
【実施例】
【００１１】
図１は、本考案の実施例であるゴルフクラブ練習補助具１の構造を示す平面図であり、図２はその側面図である。図３は、図１に示すゴルフクラブ練習補助具１をゴルフクラブのゴルフシャフトにセットした状態を示す図である。
【００１２】
これらの図において、ゴルフクラブ練習補助具１は、ゴルフクラブ１１（図３）の下方垂直方向に延在して配置可能とされ、ゴルフシャフト１２の一部であってグリップ部（握り部）１３の近辺シャフト部分１４をシャフト方向に収納する、一定深さの長手溝３を備えた取り付け板部２と、該長手溝１３の反対側の取り付け板底部４に固定され、長手溝３の方向に対して２４度近辺の鋭角をなし、取り付け板部２がゴルフクラブ１１に取り付けられた時に、ゴルフクラブ先端方向に末広がりに広がる形状とされた三角形状板（ラケット板という）５と、ゴルフシャフト１２を長手溝に収納した時に、取り付け板部２に設けられた、ゴルフシャフト１２に取り付け部２を固定する取り付けバンド１７，１８等の固定部材とから構成される。
【００１３】
ゴルフクラブ練習補助具１を構成する上述した各構成要素は、樹脂（プラスチック）あるいは木材あるいはその他の材料で構成され得る。複数の材料を組み合せて作られてよい。
【００１４】
図２において、取り付け板部２は、側方から見ると、台形をなし、ゴルフクラブ１１の下方垂直方向に延在する双方の端面は平行をなし、取り付け板底部４は、長手溝３の方向に対して２４度近辺の鋭角をなす。長手溝３は、取り付け板部２の上面の全面に亘って端から端まで設けられている。この構成によって、長手溝３は、ゴルフシャフト１２の一部であってグリップ部１３の近辺シャフト部分１４をシャフト方向に収納することができる。
【００１５】
三角形状板５は、ゴルフクラブ先端方向に末広がりに広がる形状とされ、先端部が三葉に分岐した形態となっている。この三葉部２１は、取り付け板部２の前方まで延在する。
【００１６】
この三葉にしたことは意匠が向上するようにしたものであり、この形状に限定されない。多葉であってもよいし二葉であってもよい。機能的には全体的に三角形状であるということになる。
【００１７】
三角形状板５が取り付け板底部４に固定用の樹脂によって固定されると、ゴルフクラブ練習補助具１は、紙飛行機を逆立ちさせた形状となり、水平状態を観察しやすい。三角形状板５の先端方向は、長手溝３の方向に対して２４度近辺の鋭角をなす。２４度近辺とは厳密に２４度である必要なく、２４±５度程度をいう。これは、この角度が性別、体格等によって適切な角度があるということであり、大人の男性の場合に２４度が適切であるということである。勿論、大人の男性であっても２４度からずれて設定されても構わない。
【００１８】
取り付け板部２には、左右の両端部には切欠く部１５，１６が設けてあり、この部分に取り付けバンド１７，１８が適宜方法で取り付けてある。取り付けバンド１７，１８は、突出部１９，２０を一周して、長手溝３に収納されたゴルフシャフト１２にゴルフクラブ練習補助具１を固定することが出来る。
【００１９】
図３に示すように、取り付け板部２は、ゴルフシャフト１２を長手溝に収納して、取り付け板部２に設けられた、ゴルフシャフト１２に取り付け部２を固定する取り付けバンド１７，１８等の固定部材によってゴルフクラブ１１に取り付けられる。この固定状態では、ゴルフクラブ１１に対する三角形状板５の取り付け角度は２４度付近、一例としては２４度をなす。ゴルフクラブを最下位セットした時に、ゴルフクラブ練習補助具１は、ゴルフシャフト１２の下方垂直方向になる。最上位にセットした時に逆の配置となる。
【００２０】
ゴルフ練習者は、ゴルフ練習する時、日の当たる場所で、晴れた正午ごろ太陽を背部にしてゴルフクラブ1をセットし、構える。この状態では、太陽光の方向は、真後ろに来る。
【００２１】
この状態でゴルフクラブのスイングを行うゴルフクラブ１のスイング角度でゴルフクラブ練習補助具１三角形状板５の地面に対する角度が変わる。ゴルフクラブのスイングに伴うゴルフクラブ練習補助具１三角形状板５の地面に対する角度と太陽によって形成される両手の間を通り抜けた太陽光によって形成される日の当った面との関係を観察する。この太陽の当った面の大きさは太陽が時間によって木の葉の問をこぼれて日が当たった面積を変えて行くことに似ており、こぼれ日面積の観察のようになる。
【００２２】
図４に示す三角形状３０が、ゴルフ練習者３１の影の部分に、スイングに伴って形成されるこぼれ日面積の形成状況を示す。このこぼれ日面積は、スイング角度によって変化する。このこぼれ日面積を観察してのスイングをここではシャドウゴルフスイングという。
【００２３】
今、理想的なゴルフスイングを想定する。トップスイングよりダウンスイングに入るポジションでこぼれ日面積が一番大きくなる。スイングに伴ってこぼれ日面積は小さくなっていく。シャフトが上方２４度傾いている時に、三角形状板５は水平になる。この時の地面に形成されたこぼれ日面積を観察する。こぼれ日面積は、図４に示すように小さな三角形状の面積となる。インパクトゾーンに入ると、こぼれ日面積は消滅する。インパクトゾーンでボールが通常の練習と同じにヒットされる。インパクトゾーンが終わり、フォロースイングなるとこぼれ日面積は再び現れ、大きくなって行き、ゴルフシャフト２４度で三角形状板５は水平になり、こぼれ日面積は、前述のこぼれ日面積と同じになる。そして再びこぼれ日面積は大きくなる。この状態がフィニッシュ状態で消滅する。このようにして三角形状板5は水平状態での対称こぼれ日三角面積を観察しながらゴルフスイングを行う。ゴルフクラブのスイングに伴うゴルフクラブ練習補助具１三角形状板５の地面に対する角度と太陽によって形成される両手の間を通り抜けた太陽光によって形成される日の当った面との関係を観察することが出来る。このようにしてゴルフクラブスイングをイメージしながら実行すると、練習者に最適なスイングを行うことが出来るようになる。
【符号の説明】
【００２４】
１…ゴルフクラブ練習補助具、２…取り付け板部、３…長手溝、４…取り付け板底部、５…三角形状板、１１…ゴルフクラブ、１２…ゴルフシャフト、１３…グリップ部、１４…グリップ部１３の近辺シャフト部分、１７，１８…取り付けバンド(固定部材)。
【図１】
0003184738.tif 000003
【図２】
0003184738.tif 000004
【図３】
0003184738.tif 000005
【図４】
0003184738.tif 000006